(57)【要約】      （修正有）【課題】照明方向を調整可能な壁ランプを提供する。【解決手段】電気発光モジュールが壁ランプケース１内に設置され、上蓋部材が殻体一側に被さり合い、回路板、主ランプ及び補助ランプを殻体内に密閉し、殻体内に連通する上蓋部材と、回転を行う透光転向部材４と、を含み、これにより、主ランプ及び補助ランプの光源照射により、その光線を上蓋部材及び透光転向部材４の方向から投射して出し、且つ透光転向部材４を調整し、光線照射の方向を変化させることができる。【選択図】図１
0003176443.tif 000002
【実用新案登録請求の範囲】
【請求項１】
壁面内に嵌合設置される壁ランプケースと、
電気発光モジュールであって、該電気発光モジュールが壁ランプケース内に設置され、殻体、回路板、主ランプ及び少なくとも１つの補助ランプを含み、該殻体が壁ランプケース内に組み込まれ、且つ回路板、主ランプ及び補助ランプは、殻体内に取り付けられ、主ランプ及び補助ランプは、回路板上に設けられ、回路板と電気接続される電気発光モジュールと、
上蓋部材であって、該上蓋部材が殻体に被さり合い、回路板、主ランプ及び補助ランプを殻体内に密閉し、上蓋部材の殻体に被さり合う相反面に嵌合固定ブロックを設け、且つ嵌合固定ブロックが更に軸回転孔を設け、殻体内に連通する上蓋部材と、
透光転向部材であって、該透光転向部材が軸回転孔内に組み込まれ、主ランプ上方に位置し、且つ透光転向部材外周側が軸回転孔内壁に相対し、回転を行う透光転向部材と、
を含み、これにより、主ランプ及び補助ランプの光源照射により、その光線を上蓋部材及び透光転向部材の方向から投射して出し、且つ透光転向部材を調整し、光線照射の方向を変化させることができる照明方向を調整可能な壁ランプ。
【請求項２】
前記光線を効率的に透過射出する為、該透光転向部材が主ランプの位置に対応して主ランプの光線を透過射出させる透過孔を開設する請求項１に記載の照明方向を調整可能な壁ランプ。
【請求項３】
前記補助ランプが嵌合固定ブロック下方に対応し、補助ランプの光線を嵌合固定ブロックから透過射出させる請求項１に記載の照明方向を調整可能な壁ランプ。
【請求項４】
前記透光転向部材の回路板と相対する相反端に透光蓋を固定設置する請求項１に記載の照明方向を調整可能な壁ランプ。
【請求項５】
前記主ランプ及び補助ランプが発光ダイオード、電球又は発光チップである請求項１に記載の照明方向を調整可能な壁ランプ。
【請求項６】
前記壁ランプケースに更にパッケージ組を設け、電気発光膜組をパッケージし、パッケージ組は、底蓋殻及び外殻が上蓋部材及び透光転向部材に対応し、第２貫通孔を開設し、第１貫通孔及び第２貫通孔は、互いに蓮通し且つ相対位置を呈し、且つ透光転向部材及び透光蓋が第１貫通孔及び第２貫通孔を貫通し、主ランプ及び補助ランプの構成を透過射出させ、使用者に壁ランプの所在位置を明確に識別させる請求項１に記載の照明方向を調整可能な壁ランプ。
【考案の詳細な説明】
【技術分野】
【０００１】
本考案は、照明方向を調整可能な壁ランプに関し、特に、使用者が暗闇で光源の所在位置を識別でき、調整可能な多方向の照明位置を提供し、投射方向の好適な選択を達成する。
【背景技術】
【０００２】
時代の進歩に伴い、政府は、しばしば、人々に対し住居の安全及び危機意識を重視するよう提言しており、従って、ビルを建築する場所内又は任意の公共場所において、何れも安全消防システムを取り付ける必要があり、滅火器、消防水袋、命綱等は、何れも不可欠なものであり、消防システムにおいて、緊急照明装置も、人々により使用を依頼され、一般の安全消防法則の規定に基づき、緊急照明装置は、目立つ箇所に取り付けられ、且つ照明の広さが最大である必要があり、災難発生時に避難者が避難の経路を確保できるようにし、自身の安全保障を達成する。
【０００３】
現在市場の緊急照明システムにおいて、一般に好適な照明の広さ及び輝度を達成する為、その体積が何れも極めて大型になっており、且つ外部都市電源ＡＣ１１０Ｖの交流電に接続し、緊急照明装置の電力及び照明を持続させる必要があるが、電流を供給する都市電源が無い時、緊急照明装置内部にバッテリを設け、バッテリは、人により起動するか、外部の電力が無くなった時に初めて定時的な起動又は放電を行うことができ、光線射出を持続し、避難者に使用手を提供することができる。
【０００４】
火災が発生する時、現場に煙が充満し、前方の障害物の有無又は地面の起伏を効率的に目視することができず、一般の濃い煙は、何れも高所に位置し、このように、緊急照明装置が射出する光線を容易に遮り、避難者が避難経路を即座に判断することができなくなるので、避難者が周囲の状況に注意が行き届かずに転倒し怪我を負うことになる。
【０００５】
また、一般の緊急照明装置は、人々がしばしば経過する場所で使用されるので、都市電源が正常に供給されている状況で、緊急照明装置は、点灯されないので、常時、人々が経過する時、某場所は、暗過ぎることにより、危険を招き、事故を発生させる。このため、これら欠陥は、当業者が改善を思考する必要がある。
【０００６】
中華民国専利公告第M355339号「緊急照明灯装置」を参照し、それは、緊急照明灯装置であり、バッテリ、緊急照明灯、緊急照明モジュール、ナイトライト、夜間照明検出回路、人体感応検出回路、セレクタ及び自動放電回路を含む。緊急照明モジュールがバッテリ及び緊急照明灯に結合し、都市電源が正常である時、バッテリに充電し、都市電源が断電時に、場っているが緊急照明灯に対し放電を提供する。夜間照明検出回路が夜間時に第１制御信号を出力する。人体感応検出回路が人体の経過時に第２制御信号を出力する。セレクタは、ナイトライト、夜間照明検出回路及び人体感応検出回路に接続し、第１制御信号及び第２制御信号のうち１つを選択出力し、ナイトライトの動作を制御する。自動放電回路は、緊急照明モジュールに接続し、バッテリの緊急照明灯に対する放電を周期的に制御する。
【０００７】
上記「緊急照明灯装置」は、前記欠陥を改善しているが、一般的に、緊急照明装置は、何れも地面から離れた比較的高い壁又は壁の隅に設置する必要があり、往々にしてメンテナンス、電源投入又は照明角度の調整等が必要であるという問題により、補助工具により高い箇所へ登り作業を完成しなければならず、このように、メンテナンス及び使用上の不便を招き、時間及び工程を相当費やし、更に安全性が懸念される問題が存在する。従って、上記の「緊急照明灯装置」は、更に改良の余地があり、実際の使用の要求に更に適合させる必要がある。
【０００８】
また、現在の市場において、小型の緊急照明装置が世に出ており、従来の体型が何れも比較的大きいという欠陥を改善し、中華民国専利公告第M393623「プラグ式感応壁ランプ構造」を参照し、それは、プラグ式感応壁ランプ構造であり、それは、四角形の殻体である収容本体を含み、その前方に孔を設け、電子感応部材を設置させ、中間に一組の回路板及び配線を収容することができ、電球を安置させ、その後方に蓋板、プラグ導電片固定ソケット、及び回転ソケットを設け、９０度回転可能なプラグを組み合わせることができ、壁のコンセントに任意に挿入設置することができる。
【０００９】
上記「プラグ式感応壁ランプ構造」は、従来の緊急照明体積が大き過ぎ、空間を占有する点を改善しているが、この種のプラグ式感応壁ランプ構造は、コンセントがある箇所に設置する必要があり、災難が発生する時、断電の状況を発生する可能が高く、このように、この種の「プラグ式感応壁ランプ構造」は、使用することができない。通常又はコンセントが低すぎる時、この種の「プラグ式感応壁ランプ構造」は、コンセントに挿入設置し、壁面に突出させる必要があり、人々の不注意により衝突して損壊させ易く、壁面全体の美観を損なう等の欠陥があるので、上記の「プラグ式感応壁ランプ構造」は、更に改良し、実際の使用の要求に適合させる予知がある。
【００１０】
上記「緊急照明灯装置」及び「プラグ式感応壁ランプ構造」の欠陥に鑑み、本考案者は、多くの時間を関連知識の研究に投入し、各項の優劣を比較し、且つ関連製品の研究及び開発を行い、多数回の実験及び試験を経てようやく「照明方向を調整可能な壁ランプ」を開発し、それは、従来の又は前記2項の技術の高い箇所に設置しなければならず、メンテナンス及び調整上の不便を招き、暗闇で周囲の状況を効率的に識別し、光源所在位置を探し出すことができない等の欠陥を改善する。
【先行技術文献】
【特許文献】
【００１１】
【特許文献１】特開２００９−２５９７５９号公報
【考案の概要】
【考案が解決しようとする課題】
【００１２】
本考案の目的は、照明方向を調整可能な壁ランプを提供し、使用者に壁ランプの所在位置を明確に識別させ、且つ適合する照明方向に調整可能であり、最適な照明効果を得て、災難発生時に避難時の周囲の状況を明確化でき、自身の安全を保護する効果を達成することである。
【課題を解決するための手段】
【００１３】
上記の目的及び効果を達成する為、本考案の照明方向を調整可能な壁ランプは、
壁面内に嵌合設置される壁ランプケースと、
電気発光モジュールであって、該電気発光モジュールが壁ランプケース内に設置され、殻体、回路板、主ランプ及び少なくとも１つの補助ランプを含み、該殻体が壁ランプケース内に組み込まれ、且つ回路板、主ランプ及び補助ランプは、殻体内に取り付けられ、主ランプ及び補助ランプは、回路板上に設けられ、回路板と電気接続される電気発光モジュールと、
上蓋部材であって、該上蓋部材が殻体一側に被さり合い、回路板、主ランプ及び補助ランプを殻体内に密閉し、上蓋部材の殻体に被さり合う相反面に嵌合固定ブロックを設け、且つ嵌合固定ブロックが更に軸回転孔を設け、殻体内に連通する上蓋部材と、
透光転向部材であって、該透光転向部材が軸回転孔内に組み込まれ、主ランプ上方に位置し、且つ透光転向部材外周側が軸回転孔内壁に相対し、回転を行う透光転向部材と、
を含み、これにより、主ランプ及び補助ランプの光源照射により、その光線を上蓋部材及び透光転向部材の方向から投射して出し、且つ透光転向部材を調整し、光線照射の方向を変化させることができる。
【００１４】
上記照明方向を調整可能な壁ランプは、光線を効率的に透過射出する為、該透光転向部材が主ランプの位置に対応して主ランプの光線を透過射出させる透過孔を開設し、光線を必要な箇所へ透過射出し、照明する。
【００１５】
上記照明方向を調整可能な壁ランプは、更に、該補助ランプが嵌合固定ブロック下方に対応し、補助ランプの光線を嵌合固定ブロックから透過射出させる。
【００１６】
上記照明方向を調整可能な壁ランプは、該透光転向部材の回路板と相対する相反端に透光蓋を固定設置する。
【００１７】
上記照明方向を調整可能な壁ランプは、該主ランプ及び補助ランプが発光ダイオード、電球又は発光チップである。
【００１８】
上記照明方向を調整可能な壁ランプは、該壁ランプケース外側に更にパッケージ組を設け、電気発光膜組をパッケージし、パッケージ組は、底蓋殻及び外殻が上蓋部材及び透光転向部材に対応し、第２貫通孔を開設し、第1貫通孔及び第２貫通孔は、互いに蓮通し且つ相対位置を呈し、且つ透光転向部材及び透光蓋が第1貫通孔及び第２貫通孔を貫通し、主ランプ及び補助ランプの構成を透過射出させ、使用者に壁ランプの所在位置を明確に識別させる。
【００１９】
従って、本考案は、実用性及び進歩性を相当有する考案であり、産業界に広く推進し、社会大衆に公開するに値すると言うことができる。
【考案の効果】
【００２０】
本考案の照明方向を調整可能な壁ランプは、壁面内に嵌合設置され、使用者が暗闇で壁ランプの所在位置を探すことができ、更に照射方向を調整でき、好適な投射角度を達成し、使用者に周囲の状況を明確に識別させることができ、自身の安全を保護し、本考案の目的を達成する為、従来技術が高い箇所に設置しなければならず、メンテナンス及び角度の調整が不便であるという欠陥を改善する。
【図面の簡単な説明】
【００２１】
【図１】本考案の立体説明図である。
【図２】本考案の部材分解説明図である。
【図３】本考案の透光転向部材の回転動作の説明図である。
【図４】本考案の透光転向部材の上方向動作の説明図である。
【図５】本考案の透光転向部材の下方向動作の説明図である。
【図６】本考案の透光転向部材の左方向動作の説明図である。
【図７】本考案の透光転向部材の右方向動作の説明図である。
【図８】本考案の主ランプ照明の説明図である。
【図９】本考案の補助ランプ照明の説明図である。
【図１０】本考案の壁面内に取り付けた説明図である。
【考案を実施するための形態】
【００２２】
上記使用者に光源の所在位置を明確に識別させ、且つ良好な照射方向を提供し、従来の緊急照明装置の体積が大型過ぎることを改善し、且つ通常使用者にその所在位置を分からせることができず、更には、壁面を美化することができない等の欠陥を改善する為、本考案は、「照明方向を調整可能な壁ランプ」に関し、その効果及び特徴について、以下に図面を合わせて簡単な実施例の説明を行う。
【００２３】
図１及び図２を参照し、それは、本考案の主実施例であり、照明方向を調整可能な壁ランプは、  上記の目的及び効果を達成する為、本考案の照明方向を調整可能な壁ランプは、
壁面内に嵌合設置される壁ランプケース１と、
電気発光モジュール２であって、該電気発光モジュール２が壁ランプケース１内に設置され、殻体２１、回路板２２、主ランプ２３及び少なくとも１つの補助ランプ２４を含み、該殻体２１が壁ランプケース１内に組み込まれ、且つ回路板２２、主ランプ２３及び補助ランプ２４は、殻体２１内に取り付けられ、主ランプ２３及び補助ランプ２４は、回路板上２２に設けられ、回路板２２と電気接続される電気発光モジュール１と、
上蓋部材３であって、該上蓋部材３が殻体２１一側に被さり合い、回路板２２、主ランプ２３及び補助ランプ２４を殻体２１内に密閉し、上蓋部材３の殻体２１に被さり合う相反面に嵌合固定ブロック３１を設け、且つ嵌合固定ブロック３１が更に軸回転孔３２を設け、殻体２１内に連通する上蓋部材３と、
透光転向部材４であって、該透光転向部材４が軸回転孔３２内に組み込まれ、主ランプ２３上方に位置し、且つ透光転向部材４外周側が軸回転孔３２内壁に相対し、回転を行う透光転向部材４と、
を含み、これにより、主ランプ２３及び補助ランプ２４の光源照射により、その光線を上蓋部材３及び透光転向部材４の方向から投射して出し、且つ透光転向部材４を調整し、光線照射の方向を変化させることができる（前記は、本考案の主実施例の主要技術特徴であり、それは、本考案の特許請求の範囲の第1項の内容に対応し、本考案の目的及び実施形態を詳細に理解することができ、その従属特許請求の範囲に記載する技術特徴は、特許請求の範囲第１項の内容に対する詳細な記述又は付加技術特徴であり、特許請求の範囲第１項の定義範囲を制限することに用いるのではなく、本考案の特許請求の範囲第１項は、その従属特許請求の範囲に記載の技術特徴を必ずしも含む必要はない）。
【００２４】
照明方向を調整可能な壁ランプは、多方向の照射を有し、異なる場所及び異なる高さの設置位置の要求に合わせ、最適な照射効果を達成し、図３〜図７に示すように、透光転向部材４外周側及び軸回転孔３２内壁の貼合を利用し、透光転向部材４が軸回転孔３２内から離脱することを防止するだけでなく、透光転向部材４は、軸回転孔３２内壁に基づき、壁面の回転及び振動を行うことができ、透光転向部材４を異なる方向に応じさせ、例えば、透光転向部材４を水平回転、上下振動又は左右振動し、適当な使用方向に調整し、比較的良好な角度の照射方向へ投射し、使用者の要求に適合する。
【００２５】
本考案は、主ランプ２３の光線を透過射出させ、更に設定位置まで照射させ、より良好な光線を提供し、周囲の状況を照明し、透光転向部材４が主ランプ２３の位置に対応して主ランプ２３の光線を透過させる透過孔４１を開設し、その光線が透光転向部材４により遮蔽し、照明の輝度を低減させることがなく、図２、図３及び図８〜図９に示すようである（本考案の透過孔４１が開設する形状は、図示するもの制限せず、同一の創作精神において行う本考案に関する任意の修正又は変更であれば、何れも本考案が意図する保護の範囲内に含まれるべきである）。
【００２６】
しかしながら、使用者に暗闇で壁ランプの所在位置を明確に識別させる為、該補助ランプ２４は、対応する嵌合固定ブロック３１下方に設置され、補助ランプ２４の光線を嵌合固定部ブロック３１へ透過射出させ、更に回路板２２で明滅等の状態を制御し、図９に示すようである（本考案の補助ランプ２４の数量は、図示により制限されるものでない）。
【００２７】
また、図１、図２、図４〜図６を参照し、回路板２２、主ランプ２３及び補助ランプ２４と、外部異物との接触を減少するため、該透光転向部材４の回路板２２に相対する相対端は、透光蓋５を固定設置し、透光転向部材４の透過孔４１を遮蔽し、回路板２２、主ランプ２３及び補助ランプ２４を殻体２１内に密閉する（本考案の透光蓋５の設置方式は、螺合、接着剤塗布、嵌合接合の何れか１つの方式であり、透光転向部材４の透過孔４１上方に結合する）。
【００２８】
更に、図８〜図９を参照し、主ランプ２３及び補助ランプ２４の明滅に変化を持たせるため、該主ランプ２３及び補助ランプ２４は、発光代ダイオード、電球又は発光チップであり、異なる明滅、点滅又は色彩変化等の方式を加える（本発明の主ランプ２３及び補助ランプ２４の数量、設置方式及び色彩は、図示するものに制限せず、同一の創作精神において行う本考案に関する任意の修正又は変更であれば、何れも本考案が意図する保護の範囲内に含まれるべきである）。
【００２９】
図１、図２、図１０を参照し、壁面内の壁ランプケース１に嵌め込み、壁ランプケース１内に位置する電気発光モジュール２が露出し、外部要因で壁ランプケース１及び電気発光モジュール２を損壊することを防止する為、該壁ランプケース１外側には、更に、パッケージ組６を組み付け、電気発光モジュール２をパッケージし、壁ランプケース１を壁面内に隠し、パッケージ組６は、底蓋殻６１及び外殻６２を含み、該底蓋殻６１が上蓋部材３及び透光転向部材４に対応し、第１貫通孔６１１を開設し、外殻６２が上蓋部材３及び透光転向部材４に対応して第２貫通孔６２１を開設し、第１貫通孔６１１及び第２貫通孔６２１が相互に連通し、且つ相対位置を呈し、且つ透光転向部材４及び透光蓋５が第１貫通孔６１１及び第２貫通孔６２１を貫通し、主ランプ２３及び補助ランプ２４の光線を透過射出し、使用者に壁ランプの所在位置を明確に識別させ、且つ電気発光モジュール２が外部に露出してモジュールの損壊を招くことを防止し、壁ランプケース１の露出により、使用者が不注意で接触して感電を起こす可能性の発生を回避する。
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３１】
１  壁ランプケース
２  電気発光モジュール
２１  殻体
２２  回路板
２３  主ランプ
２４  補助ランプ
３  上蓋部材
３１  嵌合固定ブロック
３２  軸回転孔
４  透光転向部材
４１  透過孔
５  透光蓋
６  パッケージ組
６１  底蓋殻
６１１  第１貫通孔
６２  外殻
６２１  第２貫通孔
【図１】
0003176443.tif 000003
【図２】
0003176443.tif 000004
【図３】
0003176443.tif 000005
【図４】
0003176443.tif 000006
【図５】
0003176443.tif 000007
【図６】
0003176443.tif 000008
【図７】
0003176443.tif 000009
【図８】
0003176443.tif 000010
【図９】
0003176443.tif 000011
【図１０】
0003176443.tif 000012